(57)【要約】【課題】見付け寸法を極力小さくすることにより、枠の存在感を極小にすることができる戸枠部材を提供すること。【解決手段】壁面材１に取り付けるようにした戸枠部材において、壁面材１との境界部に露出する戸枠部材の見付け部７を略線状に表れるようにする。【選択図】図２
2007120179.tif 000002
【特許請求の範囲】
【請求項１】
壁面材に取り付けるようにした戸枠部材において、壁面材との境界部に露出する戸枠部材の見付け部を略線状に表れるようにしたことを特徴とする戸枠部材。
【請求項２】
見付け部を壁面材の端面に沿うフランジ状の薄板材で構成するとともに、該薄板材の端部にヘミング加工を施したことを特徴とする請求項１記載の戸枠部材。
【発明の詳細な説明】
【技術分野】
【０００１】
本発明は、戸枠部材に関し、特に、見付け寸法を極力小さくすることにより、枠の存在感を極小にすることができる戸枠部材に関するものである。
【背景技術】
【０００２】
戸枠部材は、壁面材に取り付けた戸枠部材内に、引戸をスライド可能に配設して使用される。
従来の戸枠部材は、戸先側縦枠や戸尻側縦枠がある程度の幅を有することから、扉を正面に見た場合に、戸枠部材には約２０乃至３０ｍｍの見付け寸法が存在する。
【０００３】
しかしながら、上記従来の戸枠部材のように、見付け寸法が大きく見えかかりの部分が広い場合は、枠の存在感が大きくなり、壁や周辺との間で色彩等の調和がとりにくいことから、市場では、この見付け寸法を極力小さくして枠の存在感をなくし、意匠性を向上したいという要望があった。
【発明の開示】
【発明が解決しようとする課題】
【０００４】
本発明は、上記従来の戸枠部材が有する問題点に鑑み、見付け寸法を極力小さくすることにより、枠の存在感を極小にすることができる戸枠部材を提供することを目的とする。
【課題を解決するための手段】
【０００５】
上記目的を達成するため、本発明の戸枠部材は、壁面材に取り付けるようにした戸枠部材において、壁面材との境界部に露出する戸枠部材の見付け部を略線状に表れるようにしたことを特徴とする。
【０００６】
この場合において、見付け部を壁面材の端面に沿うフランジ状の薄板材で構成するとともに、該薄板材の端部にヘミング加工を施すことができる。
【発明の効果】
【０００７】
本発明の戸枠部材によれば、壁面材に取り付けるようにした戸枠部材において、壁面材との境界部に露出する戸枠部材の見付け部を略線状に表れるようにすることから、戸枠部材の見付け寸法を極力小さくすることができ、枠の存在感を極小にして壁部と枠の調和を図ることができる。
【０００８】
また、見付け部を壁面材の端面に沿うフランジ状の薄板材で構成するとともに、該薄板材の端部にヘミング加工を施すことにより、見付け部の角部を丸めて使用者の安全を確保するとともに、一様に端部を丸められることから、他の戸枠部材との間でばらつきをなくし、美観を保つことができる。
【発明を実施するための最良の形態】
【０００９】
以下、本発明の戸枠部材の実施の形態を、図面に基づいて説明する。
【実施例１】
【００１０】
図１〜図３に、本発明の戸枠部材の第１実施例を示す。
この戸枠部材は、壁面材１に取り付けるもので、引戸に適用した例であり、戸枠部材の内側をスライド移動する引戸２と、戸枠部材の一側に形成された戸袋３とを備えている。
引戸２の開閉の仕組みは、例えば、吊り車２１、走行用レール２２及び引戸２の下部の振れを防止するガイドローラ２３を使用することができる。
【００１１】
戸枠部材は、本実施例では、無目４と、この無目４と床の間に立設された戸先側縦枠５と、方立６とを備えている。
無目４、戸先側縦枠５及び方立６は、例えば、鋼製板材を曲げ加工して形成されている。
無目４、戸先側縦枠５及び方立６の一方の側は、その大部分を壁面材１に埋設するとともに、壁面材１との境界部に露出する無目４、戸先側縦枠５及び方立６のそれぞれの見付け部７を狭くし、略線状に表れるようにしている。
【００１２】
見付け部７は、無目４、戸先側縦枠５及び方立６の一方の側において、壁面材１の端面に沿うフランジ状の薄板材で構成されている。
薄板材は、その端部を内側に折り返すヘミング加工が施され、折り返した薄板は、さらに縦枠の埋設部まで延設され、埋設部の側面にビス８により固定されている。
本実施例では、枠の見付け部７のすべてにヘミング加工を行い、枠の見付け寸法を板厚の略２倍になるようにしている（図２参照）。
このように、見付け部７にヘミング加工を施すことにより、見付け部７を均一に形成することができ、これにより、面取り加工に比較して見た目のばらつきをなくし、美観を保つことができる。
また、ヘミング加工を施した枠の角部は、板厚と同じ曲部にする。角部を最低板厚と同じ寸法で丸めることにより、接触時の安全を向上させることができる。
【００１３】
一方、図４（ａ）及び（ｂ）に示すように、見付け部７を板厚の２倍以上にしたり、図４（ｄ）及び（ｅ）に示すように、見付け部７の折り返した薄板を縦枠の埋設部まで延設せずに簡素化したりすることもできる。
また、図４（ｇ）及び（ｈ）に示すように、見付け部７をヘミング加工しない１枚の薄板で構成することもでき、この場合は、見付け部７の端部を丸く角のない状態に形成する。
なお、見付け部７の素材としては、アルミニウム、スチール、ステンレス、合成樹脂など適宜に選択することができ、加工方法も、引き抜きや押し出し成形、単板曲げ加工、樹脂成形など適宜に選択することができる。
図４（ｇ）及び（ｈ）に示す見付け部７を採用する場合には、その素材として合成樹脂を使用し、引き抜き又は押し出し成形で製作することによって容易に端部を丸く成形することができ、製作コストも安価とすることができる。
【００１４】
また、図５に示すように、戸袋３の入口部を構成する方立６にヘミング加工した見付け部７を形成する場合、居住者がもたれかかる等により矢印方向に側圧を受けてねじれ変形が生じ、戸袋３内に出し入れする引戸が方立６に擦れるといった不都合を生じるおそれがあるが、方立６の構造を戸袋３の内側に覆われる矩形構造とすることによってねじれ変形を防止できるようにしている。
特に、図５に示す方立６は、溶接Ｗ等によって接合一体化された２つの矩形構造とし、ねじれ変形に対する強度が一層高いものとなっている。
【００１５】
かくして、本実施例の戸枠部材は、壁面材１に取り付けるようにした戸枠部材において、壁面材１との境界部に露出する戸枠部材の見付け部７を略線状に表れるようにすることから、戸枠部材の見付け寸法を極力小さくすることができ、枠の存在感を極小にして壁部と枠の調和を図ることができる。
また、見付け部７を壁面材１の端面に沿うフランジ状の薄板材で構成するとともに、この薄板材の端部にヘミング加工を施すことにより、見付け部７の角部を丸めて使用者の安全を確保するとともに、一様に端部を丸められることから、他の戸枠部材との間でばらつきをなくし、美観を保つことができる。
【００１６】
以上、本発明の戸枠部材について、その実施例に基づいて説明したが、本発明は上記実施例に記載した構成に限定されるものではなく、実施例に記載した構成を適宜組み合わせるなど、その趣旨を逸脱しない範囲において、適宜その構成を変更することができ、また、実施例に記載した引戸のほか、例えば、開き扉の戸枠部材にも適用することができるものである。
【産業上の利用可能性】
【００１７】
本発明の戸枠部材は、見付け寸法を極力小さくすることにより、枠の存在感を極小にするという特性を有していることから、例えば、壁や周辺との間で色彩等の調和をとりたい場合の戸枠部材の用途に好適に用いることができる。
【図面の簡単な説明】
【００１８】
【図１】本発明の戸枠部材の第１実施例を示す正面図である。
【図２】同戸枠部材の要部を示す横断面図である。
【図３】同戸枠部材の要部を示し、（ａ）は戸枠部材の縦断面図、（ｂ）は戸袋の縦断面図である。
【図４】本発明の戸枠部材の他の実施例を示し、（ａ）は第２実施例の戸先側縦枠の横断面図、（ｂ）は同方立の横断面図、（ｃ）は同無目の縦断面図、（ｄ）は第３実施例の戸先側縦枠の横断面図、（ｅ）は同方立の横断面図、（ｆ）は同無目の縦断面図、（ｇ）は第４実施例の戸先側縦枠の横断面図、（ｈ）は同方立の横断面図、（ｉ）は同無目の縦断面図である。
【図５】見付け部にヘミング加工を施した方立の詳細断面図である。
【符号の説明】
【００１９】
１    壁面材
２    引戸
２１  吊り車
２２  走行用レール
３    戸袋
４    無目
５    戸先側縦枠
６    方立
７    見付け部
８    ビス
【図１】
2007120179.tif 000003
【図２】
2007120179.tif 000004
【図３】
2007120179.tif 000005
【図４】
2007120179.tif 000006
【図５】
2007120179.tif 000007